(57)【要約】  本発明は、通過するウェブ、特に、紙のための乾燥設備の対流システムに関する。対流システム７は、ウェブに向かう開口部１４を備えた燃焼生成物の吸引のための外部ケーシング１３と、燃焼生成物を対流システム７に吸引する第１の吸引ダクト１５および第２の吸引ダクト１６との組立体である。第１の吸引ダクト１５からもたらされる燃焼生成物は外部ケーシング１３を介して混合および吹出し装置１７へ案内される。冷気１８はこの混合および吹出し装置１７内で燃焼生成物１９と混合され、より低温のガス混合物２０を生じる。対流システム７は外部ケーシング１３の内側に内部ケーシング２１をさらに有する。この内部ケーシング２１は、ウェブに向かう少なくとも１個の開口２２を有し、混合装置１７から内部ケーシング２１への上記ガス混合物２０のガスフローを可能にさせる開口部３４をさらに有する。内部ケーシング２１の下に、吹出しダクト２３がさらに存在する。第２の吸引ダクト１６もこの内部ケーシング２１の下に配置され、それによって、燃焼生成物の第２のフロー２４を内部ケーシング２１に回収する。その後、この燃焼生成物の第２のフロー２４は、混合装置１７からもたらされるガス混合物２０と混合され、第１のガス混合物２０より高く、かつ、例えば、３５０℃〜３７０℃、より好ましくは、３９０℃〜４１０℃、さらに一層好ましくは、４２０℃、４５０℃、または、５００℃より高い温度のガスの混合物２５を生じる。その後これらの熱風２５は内部ケーシング２１の吹出しダクト２３によって乾燥中のウェブに吹出される。
2010516985.tif 000002
【特許請求の範囲】
【請求項１】
乾燥されるべきウェブを横切るように配置された乾燥設備（１）における対流システム（７）であって、
燃焼生成物（１９）を吸引するための外部ケーシング（１３）であって、前記ウェブに対向する開口部（１４）を有する外部ケーシング（１３）と、
前記燃焼生成物（１９）を前記対流システム（７）に吸引する第１および第２の吸引ダクト（１５，１６）であって、前記第１の吸引ダクト（１５）は、前記燃焼生成物（１９）を前記外部ケーシング（１３）内に吸引するような、第１および第２の吸引ダクト（１５，１６）と、
前記燃焼生成物（１９）の再利用のための混合および吹出し装置（１７）であって、前記燃焼生成物（１９）を冷気（１８）と混合し、より低温のガス混合物（２０）とするような混合および吹出し装置（１７）と、
前記外部ケーシング（１３）の内側に配設され、前記ウェブ（２）に対向する少なくとも１つの開口部（２２）を有する内部ケーシング（２１）であって、前記外部ケーシング（１３）から前記内部ケーシング（２１）内への前記ガス混合物（２０）のガス流（２０）を可能にする開口部（３４）を有するような内部ケーシング（２１）と、
前記内部ケーシング（２１）の下部に配設された吹出しダクト（２３）と、
を備えるものにおいて、
前記第２の吸引ダクト（１６）は、前記内部ケーシング（２１）の下部に配設され、前記第２の吸引ダクト（１６）を通じて、前記燃焼生成物の第２のフロー（２４）が前記内部ケーシング（２１）内に回収され、該第２のフロー（２４）が前記低温の前記ガス混合物（２０）と混合されることにより、該ガス混合物より高温のガスの混合物（２５）を生じ、該ガスの混合物（２５）が、前記吹出しダクト（２３）によって乾燥中のウェブ（２）に吹き当てられるように構成されていることを特徴とする対流システム。
【請求項２】
前記混合および吹出し装置（１７）は、ベンチュリ構造をなしていることを特徴とする請求項１に記載の対流システム。
【請求項３】
前記吹出しダクト（２３）は、前記第１の吸引ダクト（１５）と前記第２の吸引ダクト（１６）との間に配置されていることを特徴とする請求項１に記載の対流システム。
【請求項４】
前記内部ケーシング（２１）は、良好な空気分布を与えるように設計されていることを特徴とする請求項１に記載の対流システム。
【請求項５】
前記ウェブに一定の浮揚効果を確保するための気圧センサをさらに備えていることを特徴とする請求項１に記載の対流システム（７）。
【請求項６】
温度センサをさらに備えていることを特徴とする請求項１に記載の対流システム。
【請求項７】
前記混合および吹出し装置（１７）は、前記ウェブ（２）に対して実質的に垂直な軸（３１）をもつ少なくとも１つの送風機（３０）を有することを特徴とする請求項１に記載の対流システム。
【請求項８】
前記混合および吹出し装置（１７）は、前記ウェブ（２）に対して実質的に平行な軸（２９）をもつ少なくとも１つの送風機（２７）を有することを特徴とする請求項１に記載の対流システム。
【請求項９】
請求項１〜８に記載の対流システムを使用することにより、高温の燃焼ガスとの接触からファンを保護する方法。
【請求項１０】
請求項１〜８に記載のシステムを使用して熱交換効率を高めるために加熱されたガスを再利用する方法。
【請求項１１】
ウェブ全幅を乾燥するため設けられ、ウェブ（２）、特に、紙を乾燥させる乾燥設備（１）であって、
実質的にウェブ全幅に亘って横方向（５）に延びる少なくとも１つの列（４）に沿って配置され、前記ウェブに熱放射するガス加熱型放射要素（３）と、
請求項１〜８のいずれか一項に記載の少なくとも１つの横向き対流システム（７）と、
を備えた乾燥設備。
【請求項１２】
ウェブ全幅を乾燥するため設けられ、ウェブ（２）、特に、紙を乾燥させる乾燥設備であって、
実質的にウェブ全幅に亘って横方向（５）に延びる少なくとも１つの列（４）に沿って配置され、前記ウェブを加熱すべく青色炎モードで燃焼するように適合されている少なくとも１個のバーナー組立体（３５）と、
請求項１〜８のいずれか一項に記載の少なくとも１つの横向き対流システム（７）と、
を備えた乾燥設備。
【請求項１３】
前記ウェブ（２）の移動方向（６）に列設され、加熱要素（３、３５）の少なくとも１列の横向き列（４）によって相互に分離されている少なくとも２つの横向き対流システム（７）を備えた請求項１１または１２に記載の乾燥設備。
【発明の詳細な説明】
【技術分野】
【０００１】
本発明は、通過するウェブ、特に、紙のための乾燥設備の対流システムに関する。
【背景技術】
【０００２】
例えば、本出願人の名義のＦＲ−Ａ−２７７１１６１によれば、少なくともウェブと、実質的にウェブの全幅に亘って、ウェブの横方向に広がる少なくとも１列に配置されたガス加熱型放射要素と、少なくとも１列の放射要素の下流で、放射要素によって生成された燃焼生成物の少なくとも一部分を吸引し、燃焼生成物のこの一部分をウェブへ向かって吹出す吸引および吹出し装置を装備している少なくとも横向き対流システムとを有する設備が存在する。この設備は、一般に、通過するウェブと燃焼生成物との間の対流交換から生じる温風を回収する装置をさらに有する。
【０００３】
吸引および吹出し装置は、例えば、複数の公知の理由のため、ウェブの幅に対して通常は大きな距離にあり、さらに一層非常に大きな距離にある中央の縦軸に関して、ウェブの外側で側面に沿ってシフトされる換気装置のような混合装置を有する。そのような方法で、換気装置は、最初にウェブの全幅に亘って分配された燃焼生成物を側面に沿って収集し、燃焼生成物を混合し、混合された燃焼生成物をウェブの全幅に亘って再度分配しなければならない。このような混合は必然的に多量のエネルギー消費を伴う。
【０００４】
さらに、このような設備は、少なくともウェブの横方向に大きなサイズを有する吸引および吹出しダクトを有する。
【０００５】
これらのダクトは放射および対流によって熱エネルギーを散逸する。特に、燃焼生成物を冷却する冷気が吸引される。従って、ウェブに吹出される燃焼生成物の温度は、放射要素によって生成された燃焼生成物の温度よりかなり低い。
【０００６】
このような設備は、十分に機能するにもかかわらず、多量の機械エネルギーの消費と、同様に多量の熱エネルギーの損失を意味し、よって、かなりの投資コストおよび運用コストを生じ、さらに広い面を占領する。機械エネルギーの消費および熱エネルギーの損失を低減し、投資コストおよび運用コストを削減し、より小さい空間を必要とする既に改良されているシステムは、本出願人の名義のＷＯ２００５／０８５７２９に記載されている。
【０００７】
この乾燥設備は、対流システムの吸引および吹出し装置が、少なくともウェブの横方向に広がる対応する吸引および吹出しダクトに対して通過するウェブの反対側に設置され、ベクトル平均が最適化されるように上記燃焼生成物を吸引および／または吹出すように配置されている少なくとも１つの吸引および吹出し装置を有することを特徴とする。ベクトルは、吸引および／または吹出された燃焼生成物の様々な噴流の個々の軌道を表現している。
【０００８】
この最適化は、燃焼生成物の噴流の軌道と、燃焼生成物の様々な噴流を吸引および吹出すために必要とされる機械的な混合エネルギーとをかなり削減する。
【０００９】
これらの燃焼生成物の軌道の短縮は、より短い吸引および吹出しダクトと、より狭い表面に対応するより小さい寸法を必要とし、結果として、放射および対流による熱エネルギーの損失をかなり削減する。
【００１０】
同様に、吸引された燃焼生成物と吹出された燃焼生成物との間の温度差が実質的に削減され、それによって、効率を高める。
【００１１】
このようにして、燃焼生成物と通過する平面との間の熱伝達を最大化することが可能であり、燃焼生成物ができる限り高温で吹出される非常に小型の乾燥設備を実現することも可能である。
【００１２】
上記のシステムは、乾燥設備の効率を既に大幅に改良しているが、混合装置は、例えば、３５０℃より高い温度に耐えることができないため、暖かい吹出された燃焼生成物の温度を制限するという点で、依然としてシステムに重大な制約が存在する。
【発明の開示】
【００１３】
本発明の目的は、公知の設備の制限を緩和し、機械エネルギーの消費がより多く削減され、熱エネルギーの損失がより多く削減され、設備コストおよび運用コストがより削減された乾燥設備の対流システムを提案することである。
【００１４】
本発明のさらなる目的は、既存のシステムおよび既存の寸法の範囲内で改良を実現することである。
【００１５】
本発明のさらに別の目的は、簡単な手段を用いて改良を実現することである。
【００１６】
本発明の第１の態様によれば、乾燥されるべきウェブに関して横向きに配置された乾燥設備の対流システムが提供される。対流システムは、ウェブに向かう開口部を備えた燃焼生成物の吸引のための外部ケーシングと、燃焼生成物を対流システムに吸引する第１の吸引ダクトおよび第２の吸引ダクトとの組立体である。第１の吸引ダクトからもたらされる燃焼生成物は、外部ケーシングを介して混合および吹出し装置へ案内される。冷気がこの混合および吹出し装置内で燃焼生成物と混合され、より低温のガス混合物を生じる。
【００１７】
対流システムは外部ケーシングの内側に内部ケーシングをさらに有する。内部ケーシングは、ウェブに向かう少なくとも１個の開口部を有し、外部ケーシングから内部ケーシングへの上記ガス混合物のガスフローを可能にさせる開口部をさらに有する。内部ケーシングの下に、吹出しダクトも存在する。
【００１８】
第２の吸引ダクトもこの内部ケーシングの下に配置され、それによって、燃焼生成物の第２のフローを内部ケーシングに回収する。その後、この燃焼生成物の第２のフローは、混合装置からもたらされるより低温のガス混合物と混合され、第１のガス混合物より高く、かつ、例えば、３５０℃、より好ましくは、４００℃〜４５０℃、さらに一層好ましくは、５００℃より高い温度のガスの混合物を生じる。その後、これらの熱風は内部ケーシングの吹出しダクトによって乾燥中のウェブに吹出される。
【００１９】
さらに本発明によれば、この改良された対流システムは、簡単な手段によって、内部ケーシングを外部ケーシングの中に付設することによって実現され得る。内部ケーシングの付設は困難なく、従って、簡単な方法で実行され得ることは明らかである。
【００２０】
内部ケーシングの付設は、完全に新しい対流システムおよび既存の対流システムの何れにおいても、寸法を大幅に変更することなく実現され得る。
【００２１】
内部ケーシング中における高温燃焼生成物の直接的な再利用は、吹出されるガスの温度を上昇させ、乾燥システムによって生成された熱のより効率的な利用をもたらし、システム内での熱交換効率を改善する。
【００２２】
本発明の代替的な変形によれば、対流システムは、ベンチュリシステムをなす混合および吹出し装置を用いて構築される。
【００２３】
本発明の別の変形によれば、対流システムは、吹出しダクトが上記第１の吸引ダクトと上記第２の吸引ダクトとの間に配置されるように設計される。
【００２４】
本発明の好ましい実施形態では、優れた空気分布を生じる内部ケーシングの特別な設計が提供される。
【００２５】
本発明の別の好ましい実施形態では、乾燥されるべきウェブへの一定の浮揚効果を確保するためにシステム内に気圧センサが設置されている。また、温度センサが想定される場合もある。
【００２６】
本発明の好ましい実施形態は、混合および吹出し装置が、軸がウェブに垂直な少なくとも１つの送風機（タービン）を有する対流システムである。本発明の別の形態は、混合および吹出し装置が、軸がウェブに平行な少なくとも１つの送風機（タービン）を有する対流システムである。
【００２７】
第２の態様によれば、本発明は、上記の対流システムを使用することにより高温燃焼ガスとの接触からファンを保護する方法を提供する。
【００２８】
第３の態様によれば、本発明は、上記の対流システムを使用して熱交換効率を高めるために加熱されたガスを再利用する方法を提供する。
【００２９】
その後、上記の対流システムは、ウェブ、例えば、紙を乾燥させる乾燥設備において使用され得る。乾燥設備は、ウェブ全幅を乾燥するため設計され、対流システムに隣接して、上記ウェブに熱放射するガス加熱型放射要素で構成されている。放射要素は、実質的にウェブ全幅に亘って横方向に延びる少なくとも１列に配置されている。本発明のさらなる実施は、ウェブの移動方向に列設され、かつ、少なくとも１列の横向きのガス加熱型放射要素によって相互に分離されている少なくとも２つの横向き対流システムを有する設備である。
【００３０】
同様に、上記の対流システムは、バーナー組立体に基づく、例えば、火炎乾燥炉型の上記乾燥設備で使用され得る。
【００３１】
本発明のさらに一層好ましい実施形態では、排気ガスを再利用するシステムはカスケードシステムにセットアップされ、加熱用組立体（例えば、バーナーシステム、ガス加熱型放射要素）から直接的にもたらされる排気ガスが、第１の対流システムによって吸引され、ウェブに吹出される。その後に、第２の対流システムで利用可能である温風は、再利用および再吹出しのため再び吸引され、これによって、加熱用組立体によって作り出された利用可能な熱エネルギーをさらに利用する。例えば、最初に、１０００℃を上回る温度の加熱用組立体が存在し、その後に、再利用される排気ガスを４００℃で吹出す第１の対流システムが存在し、その後に、ガスを２００℃で吹出す第２の対流システムが存在する。
【００３２】
これはシステムの乾燥効率をさらに高める。
【００３３】
さらに、乾燥されるべきウェブの両面に、それぞれ上記設備の少なくとも１つを配設することが想定されている。
【００３４】
次に本発明を、添付図面を参照してより詳細に説明する。
【発明を実施するための最良の形態】
【００３５】
本発明は、特定の実施形態に関して、ある図面を参照して説明されるが、本発明は特定の実施形態に限定されることがなく、特許請求の範囲だけに限定される。記載されている図面は概略だけであり、非限定的である。図面中、一部の要素のサイズは、例示の目的のため、誇張され、正しい縮尺で描かれていないことがある。寸法および相対的な寸法は本発明の現実の実施化に対応していない。
【００３６】
さらに、明細書および特許請求の範囲における第１、第２、第３などの用語は、類似した要素を区別するため使用され、必ずしも、時間的、空間的、ランキング、または、その他のいかなる様式においても順序を説明することを目的としていない。このように使用された用語が適切な状況下で交換可能であること、ならびに、本明細書に記載されている本発明の実施形態が本明細書に記載または例示されている順序以外の順序で動作可能であることは理解されるべきである。
【００３７】
図１は、通過するウェブ２、特に、紙のための、例えば、湿式で処理され、接触なしに乾燥させられるべき塗工紙のウェブのための乾燥設備１を表している。
【００３８】
設備１は、少なくともウェブ２とガス加熱型放射要素３とを有する。要素３は、ウェブ２の横方向５に広がる少なくとも１つの列４に従って配置されている。列４は実質的にウェブ全幅に亘って広がる。
【００３９】
設備１は、ウェブ６の移動方向に沿って、放射要素３の少なくとも１つの列４の下流に少なくとも１つの対流システム７をさらに有する。対流システムは吸引および吹出し装置８を含む。装置８は、放射要素３によって生成された燃焼生成物の少なくとも一部分を吸引し、これらの燃焼生成物をウェブ２に向かって吹出す。
【００４０】
対流システムは、通過するウェブ２と燃焼生成物との間の対流熱交換から生じる温風を回収する装置９をさらに有する。
【００４１】
放射要素３は、どのようなタイプのガス加熱型放射要素でもよく、相互に、かつ、ガス供給管及び燃焼用空気供給管に対して任意の可能な形で配置されている。
【００４２】
本発明によれば、吸引および吹出し装置８は、通過するウェブ２の反対側に設置された少なくとも１つの混合装置１７を含む。
【００４３】
図２は、ウェブの長手方向に広がるウェブに垂直な平面による（Ｂ−Ｂ′による）対流システム７の断面図を表している。
【００４４】
図３は対流システム中の個々のガスフローを示し、Ａはウェブの移動方向に関して第１の吸引ダクト１５を示し、Ｂはウェブの移動方向に関して対流システムの代替的なセットアップを示している。
【００４５】
図２および図３Ａを参照する。対流システム７は、ウェブに向かう開口部１４を備えた燃焼生成物の吸引のための外部ケーシング１３と、燃焼生成物を対流システム７に吸引する第１の吸引ダクト１５及び第２の吸引ダクト１６との組立体である。第１の吸引ダクト１５からもたらされる燃焼生成物は、外部ケーシング１３の中を通って混合および吹出し装置１７へ案内される。冷気１８はこの混合および吹出し装置１７内で燃焼生成物１９と混合され、より低温のガス混合物２０を生じる。
【００４６】
対流システム７は外部ケーシング１３の内側に内部ケーシング２１をさらに有する。この内部ケーシング２１は、ウェブに向かう少なくとも１個の開口部２２を有し、混合装置１７から内部ケーシング２１への上記ガス混合物２０のガスフローを可能にさせる開口部３４をさらに有する。
【００４７】
内部ケーシング２１の下に、吹出しダクト２３がさらに存在する。
【００４８】
第２の吸引ダクト１６もこの内部ケーシング２１の下に配置されているので、燃焼生成物の第２のフロー２４を内部ケーシング２１へ回収する。その後、この燃焼生成物の第２のフロー２４は、混合装置１７からもたらされるガス混合物２０と混合され、第１のガス混合物２０より高温、例えば、３５０℃または３７０℃より高温、より好ましくは、３９０℃または４１０℃より高温、さらに一層好ましくは、４２０℃、４５０℃または５００℃より高温のガスの混合物２５を生じる。その後に、これらの熱風２５は、内部ケーシング２１の吹出しダクト２３によって乾燥中のウェブに吹出される。
【００４９】
図３Ｂは、図３Ａと同様の原理による代替的な実施形態を示している。
【００５０】
図４は、ウェブの横方向に広がるウェブ２と垂直な平面による（Ａ−Ａ′による）対流システム７の断面図である。吸引ダクト１５及び１６と吹出しダクト２３とは、ウェブ全幅に亘って広がるが、この図に示されていない。内部ダクト２１内の良好な３次元空気分布を実現するために、対流システム７は、好ましくは、図４に示されているように設計され得る。内部ケーシング２１は、装置９の一部である回収ダクト２６をさらに備える。回収ダクト２６は、温風２５の一部および燃焼ガス１９の一部を回収する。この回収ダクト２６は、対流システム７内に非対称的に配置されている。良好な空気吹出し分布を達成するために、内部ケーシング２１の内側の高さも非対称的であり、回収ダクト２６へ向かって増加する。
【００５１】
装置９は、公知の回収装置、例えば、ファンである。
【００５２】
提示された実施例では、各送風機３０は遠心タービンホイールを有し、遠心タービンホイールの吸引開口部３２がウェブ２に関して上流の横方向吸引ダクト１５に接続されている。ホイールは、任意の従来型ファンと同様の動力源によって駆動される。
【００５３】
混合ガス２０は、２つの横方向吹出しダクト３４に接続された２つの接線方向出口３３を介して、ウェブ２の幅方向に沿って実質的に反対方向に吹き出される。
【００５４】
図５は本発明の別の好ましい実施形態を表している。この実施形態では、対流システムの混合及び吹出し装置は、ウェブと平行な軸をもつ少なくとも１つの送風機（円筒ロータ）を有する。円筒ロータ２７は第１の外部ケーシング１３の内側に設置されている。各円筒ロータ２７は、対応する閉鎖空間２８の内部に設置され、放射状の多数の羽根を有する。各円筒ロータ２７は、ウェブ２と平行であり、かつ、ウェブ２の通過方向６と実質的に垂直であるそれぞれの軸２９の周りに回転する。
【００５５】
提示された実施例では、共通の動力源によって駆動される軸に別の送風機２７が設置されている。
【００５６】
本発明の別の好ましい実施形態は、混合および吹出し装置が、例えば、ファンのように、ウェブと垂直な軸をもつ少なくとも１つの送風機を有する対流システム７である。
【００５７】
この軸は、本発明の範囲から逸脱することなく、ウェブに対して任意の可能な方向へ傾斜した他の向きを与えられることもあり得る。
【００５８】
図６および７の実施形態において、各対流システム７は、ウェブ２と実質的に垂直な軸３１をもつ少なくとも１つの送風機３０を有する。
【００５９】
各対流システムは、ウェブ２の側方エッジに沿って、例えば、図４の右側に、外気入口開口部を有することも可能である。この外気入口は、必要に応じて、燃焼生成物を希釈し、よって、送風機３０によって吸引された燃焼生成物の温度を制限するために、大気温度の空気が吸引ダクト１５の内部に入ることを可能にさせるバルブによって閉じられるのが有利である。
【００６０】
さらに、各対流システム７は上述されている回収開口部をさらに有する。
【００６１】
本発明の別の好ましい実施形態は、混合装置１２が図４の開口部３３を通じて加圧された空気を吹出すように適合された気管（organ）である対流システムであり。この実施形態は、吸引ダクト１５を介して燃焼生成物の少なくとも一部分を吸引し、内部ケーシング２１内に吹出すベンチュリ効果を生み出す。
【００６２】
明らかに、本発明は上記実施形態に限定されることがなく、多数の変更および変形が本発明の範囲から逸脱することなくこれらの実施形態に対し行われ得る。
【００６３】
当然ながら、燃焼生成物を吸引し吹出すために適合した任意の混合装置が使用され、こられの混合装置と、対応する吸引および吹出しダクトとが公知のいかなる方法でも配置され得る。
【００６４】
上記の混合装置は上述されている方式以外の異なる方式で配置されてもよい。
【００６５】
これらの混合装置および対応する横向き対流システムは、いかなるタイプのガス加熱型放射要素にも連結可能であり、これらの放射要素は考えられるいかなる方式で配置されてもよい。
【００６６】
これらの混合装置および対応する横向き対流システムは、例えば、青色炎バーバーのようないかなるタイプのガス加熱型放射要素にも同じ方式で連結可能であり、これらのバーナー要素は考えられるいかなる方式で配置されてもよい。
【００６７】
図１、６および７に図式化されているように、ウェブ２の通過方向６に次々に配置され、かつ、ガス加熱型放射要素の少なくとも１列の横向き列４によって互いに分離されている、本発明による少なくとも２つの対流システム７が想定され得る。図７によれば、このような放射要素および対流システムの配置は、乾燥されるべきウェブの両面にそれぞれ設置される可能性がある。
【００６８】
明らかに、上記本発明の装置における、吸引ダクト１５，１６、吹出しダクト２３、混合装置３０、外部ケーシング１３および内部ケーシング２１等は、吸引される、および／または、吹出される燃焼生成物の高い温度に永続的かつ高い信頼性で耐え得るように、公知の方式で設計され配置されている。
【００６９】
図８に図式化されているように、乾燥設備において、ウェブ２の通過方向に次々に配置され、本発明による少なくとも２つの対流システムを予測することが可能である。このいわゆるカスケードシステムにおいて、排気ガスはバーナー組立体から直接的にもたらされ、対流システムによって吸引され、その後に、これらの熱風が吹出しダクトによって再利用のためウェブに吹出される。その後に対流システムで利用可能である温風は、再利用および再吹出しのため再び吸引される可能性があり、それによって、バーナー組立体によって作り出された利用可能な熱エネルギーをさらに利用する。例えば、最初に、１０００℃を超える温度のバーナー組立体が存在し、その後、再利用された排気ガスを４００℃で吹出す第１の対流システムが存在し、その後、２００℃でガスを吹出す第２の対流システムが存在する。作り出された熱風フローを再利用するこのカスケードシステムは、他の乾燥システムにおいて、例えば、ＩＲ乾燥炉と組み合わせて、使用されることも可能である。
【００７０】
明らかに、例えば、電動機のようなある特定の装置を保護するために公知の断熱装置および／または従来型の冷却装置をさらに想定し得る。
【００７１】
従って、燃焼生成物の高いエネルギーポテンシャルを維持し、よって、ウェブと、吸引され吹出された燃焼生成物との間で対流熱交換の優れたリターンを可能にさせるため、熱損失をできる限り制限するように設計され配置された乾燥設備で使用される対流システムが記載され、説明されている。
【００７２】
燃焼生成物とウェブとの間の熱交換の重要な改善に加えて、これらの燃焼生成物を吸引し吹出すために必要とされる機械的エネルギーも削減される。
【図面の簡単な説明】
【００７３】
【図１】乾燥システムの概略図である。
【図２】ウェブの縦方向に広がり、ウェブの移動方向に垂直である平面Ｂ−Ｂ′による、対流システムの構造を示す対流システムの断面図である。
【図３Ａ】ウェブの縦方向に広がり、ウェブの移動方向に垂直である平面Ｂ−Ｂ′による、ウェブの移動方向に関して第１のセットアップの対流システムで起こるガスフローを示す、対流システムの断面図である。
【図３Ｂ】ウェブの縦方向に広がり、ウェブの移動方向に垂直である平面Ｂ−Ｂ′による、ウェブの移動方向に関して代替的なセットアップの対流システムで起こるガスフローを示す、対流システムの断面図である。
【図４】ウェブの横方向に広がり、ウェブの移動方向に垂直である平面Ａ−Ａ′による対流システムの断面図である。
【図５】本発明の別の実施形態の断面図である。
【図６】本発明の第１の実施形態による乾燥設備の断面図である。
【図７】本発明の別の実施形態による乾燥設備の略断面図である。
【図８】本発明の代替的な実施形態による火炎乾燥設備の略断面図である。
【符号の説明】
【００７４】
１  乾燥設備
２  移動するウェブ
３  ガス加熱型放射要素
４  １列のガス加熱型放射要素の列
５  横方向矢印
６  ウェブ移動方向
７  対流システム
８  吸引および吹出し装置
９  対流熱交換から生じる温風（矢印）を回収する装置
１０  ガス供給管
１１  燃焼用空気供給管
１２  空気／ガス吸収
１３  外部ケーシング
１４  ウェブに向かう開口部
１５  第１の吸引ダクト
１６  第２の吸引ダクト
１７  混合および吹出し装置
１８  外冷気
１９  燃焼生成物
２０  低温のガス混合物
２１  内部ケーシング
２２  ウェブに向かう内部ケーシング中の開口部
２３  吹出しダクト
２４  燃焼生成物の第２のフロー
２５  （２０）からの温度よりｔ°高い温度のガスの混合物
２６  回収ダクト
２７  円筒型ロータ
２８  円筒型ロータのための対応する閉鎖空間
２９  ロータの軸
３０  送風機
３１  送風機の軸
３２  送風機の吸引開口部
３３  送風機の接線方向出口開口部
３４  混合装置１７から内部ケーシングへのガスフローを可能にさせる開口部
３５  バーナー組立体
【図１】
2010516985.tif 000003
【図２】
2010516985.tif 000004
【図３ａ】
2010516985.tif 000005
【図３ｂ】
2010516985.tif 000006
【図４】
2010516985.tif 000007
【図５】
2010516985.tif 000008
【図６】
2010516985.tif 000009
【図７】
2010516985.tif 000010
【図８】
2010516985.tif 000011
【国際調査報告】
2010516985.tif 000012
2010516985.tif 000013